【手続補正書】
【提出日】平成21年7月21日(2009.7.21)
【手続補正１】
【補正対象書類名】特許請求の範囲
【補正対象項目名】全文
【補正方法】変更
【補正の内容】
【特許請求の範囲】
【請求項１】
ネットワークの構築及び管理装置としての機能と管理の対象としての機能とを備えた通信装置であって、
特定のトラフィック特性の通信を前記管理の対象装置として行えるか否かを判定する判定手段と、
前記判定手段による判定の結果に応じて、前記管理装置としてネットワークを構築する構築手段と、
前記構築手段により構築したネットワークにおいて管理装置として通信する通信手段と、
を有することを特徴とする通信装置。
【請求項２】
前記特定のトラフィック特性の通信の対象が同じネットワークに参加しているか否かを判別する判別手段を有し、
前記構築手段は、前記判別手段による判別に応じてネットワークを構築することを特徴とする請求項１に記載の通信装置。
【請求項３】
前記構築手段は、ネットワークを構築するためのチャネルを確認する確認手段を有し、前記確認手段による確認の結果に応じて、ネットワークを構築することを特徴とする請求項１又は請求項２に記載の通信装置。
【請求項４】
前記判定手段による判定に応じて、前記特定のトラフィック特性の通信の対象に対して、前記管理装置として構築するネットワークに関する情報を通知する通知手段、を有することを特徴とする請求項１乃至請求項３の何れかに記載の通信装置。
【請求項５】
前記構築手段によりネットワークを構築する際に、前記管理の対象装置として参加しているネットワークから離脱する離脱手段を有することを特徴とする請求項１乃至請求項４の何れかに記載の通信装置。
【請求項６】
前記通信の対象が要求するトラフィック特性を、前記構築手段により構築したネットワークにおいて確保できるか否かを判断する判断手段と、
前記通信手段は、前記判断手段による判断結果に応じて、通信することを特徴とする請求項１乃至請求項５の何れかに記載の通信装置。
【請求項７】
前記構築手段により構築したネットワークにおいて前記通信の対象装置と特定のトラフィック特性の通信ができなかった場合に、前記構築手段によりネットワークを構築する前に前記管理の対象装置として参加していたネットワークに参加する手段を有することを特徴とする請求項１乃至請求項６の何れかに記載の通信装置。
【請求項８】
前記構築手段により構築したネットワークにおける前記通信の対象との通信が終了した後、前記構築手段により構築したネットワークを破棄し、前記管理の対象装置として参加していたネットワークに参加する手段を有することを特徴とする請求項１乃至請求項７の何れかに記載の通信装置。
【請求項９】
前記判定手段は、前記管理の対象装置の通信を管理する管理装置からの情報に基づいて、前記判定を行うことを特徴とする請求項１乃至請求項８の何れかに記載の通信装置。
【請求項１０】
前記管理装置に前記特定のトラフィック特性の確保を要求する要求手段を有し、
前記判定手段は、前記要求手段により前記管理装置からの応答に基づいて、前記判定を行うことを特徴とする請求項９に記載の通信装置。
【請求項１１】
前記判定手段は、前記管理装置が送信する、前記管理装置が管理するネットワークの残り帯域に関する情報にに基づいて、前記判定を行うことを特徴とする請求項９に記載の通信装置。
【請求項１２】
前記判定手段は、前記特定のトラフィック特性の通信を開始した後に、当該通信を続けられるか否かを判定することを特徴とする請求項１乃至請求項１１の何れかに記載の通信装置。
【請求項１３】
前記判定手段は、前記特定のトラフィック特性の通信を開始した後の一定時間のデータレートに基づいて、前記特定のトラフィック特性の通信を続けられるか否かを判定することを特徴とする請求項１２に記載の通信装置。
【請求項１４】
ネットワークの構築及び管理を行う管理装置が構築したネットワークに管理の対象装置として参加する通信装置であって、
管理装置の管理の下で管理の対象装置として動作している他の通信装置が送信した、前記他の通信装置が構築するネットワークに関する情報を受信する受信手段と、
前記他の通信装置が別の管理装置として前記ネットワークを構築したことを確認する確認手段と、
前記確認手段により確認した前記ネットワークに参加する参加手段と、
を有することを特徴とする通信装置。
【請求項１５】
前記参加手段は、前記受信手段により受信した情報に基づいて、前記ネットワークに管理の対象装置として参加することを特徴とする請求項１４に記載の通信装置。
【請求項１６】
前記参加手段は、前記他の通信装置が構築したネットワークにおける前記他の通信装置との通信が終了すると、前記管理装置が管理するネットワークに再度参加することを特徴とする請求項１４又は請求項１５に記載の通信装置。
【請求項１７】
ネットワークの構築及び管理を行う管理装置としての機能と管理の対象装置としての機能とを備えた通信装置の通信方法であって、
特定のトラフィック特性の通信を前記管理の対象装置としての通信において行えるか否かを判定するための判定工程と、
前記判定工程における判定に応じて、前記管理装置としてネットワークを構築するための構築工程と、
前記構築工程において構築したネットワークにおいて管理装置として通信するための通信工程と、
を有することを特徴とする通信方法。
【請求項１８】
ネットワークの構築及び管理を行う管理装置が構築したネットワークに管理の対象装置として参加する通信装置の通信方法であって、
管理装置の管理の下で管理の対象装置として動作している他の通信装置が送信した、前記他の通信装置が構築するネットワークに関する情報を受信する受信工程と、
前記他の通信装置が別の管理装置として前記ネットワークを構築したことを確認するための確認工程と、
前記確認工程において確認した前記ネットワークに参加するための参加工程と、
を有することを特徴とする通信方法。
【請求項１９】
ネットワークの構築及び管理を行う管理装置としての機能と管理の対象装置としての機能とを備えた通信装置を制御するためのプログラムであって、
特定のトラフィック特性の通信を前記管理の対象装置としての通信において行えるか否かを判定するための判定工程と、
前記判定工程における判定に応じて、前記管理装置としてネットワークを構築するための構築工程と、
前記構築工程において構築したネットワークにおいて管理装置として通信するための通信工程と、
を有することを特徴とするプログラム。
【請求項２０】
ネットワークの構築及び管理を行う管理装置が構築したネットワークに管理の対象装置として参加する通信装置を制御するためのプログラムであって、
管理装置の管理の下で管理の対象装置として動作している他の通信装置が送信した、前記他の通信装置が構築するネットワークに関する情報を受信する受信工程と、
前記他の通信装置が別の管理装置として前記ネットワークを構築したことを確認するための確認工程と、
前記確認工程において確認した前記ネットワークに参加するための参加工程と、
を有することを特徴とするプログラム。
【手続補正２】
【補正対象書類名】明細書
【補正対象項目名】０００８
【補正方法】変更
【補正の内容】
【０００８】
上記課題を解決するため、本発明は、ネットワークの構築及び管理を行う管理装置としての機能と管理の対象装置としての機能とを備えた通信装置が、特定のトラフィック特性の通信を前記管理の対象装置として行えるか否かを判定し、この判定に応じて、前記管理装置としてネットワークを構築し、構築したネットワークにおいて管理装置として通信する。
【手続補正３】
【補正対象書類名】明細書
【補正対象項目名】０００９
【補正方法】変更
【補正の内容】
【０００９】
また、ネットワークの構築及び管理を行う管理装置が構築したネットワークに管理の対象装置として参加する通信装置が、管理装置の管理の下で管理の対象装置として動作している他の通信装置が送信した、前記他の通信装置が構築するネットワークに関する情報を受信し、前記他の通信装置が別の管理装置として前記ネットワークを構築したことを確認し、確認した前記ネットワークに参加する。